(57)【要約】  【課題】靴踵部の形状を調節できるようにする。【解決手段】靴１の踵部５０は、踵部本体、カウンター６０、及びベルト７０を主として構成される。踵部本体は、カウンター６０及びベルト７０と比較して相対的に柔軟な素材で構成される。カウンター６０は、踵部本体の後部中央に縫着、接着、又は内包され、踵下部から足のアキレス腱に沿って、踵部５０を上方へ立たせる。ベルト７０は、ベルト本体、ベルト止着部７２及びベルト調整部７４から構成される。ベルト止着部７２は、ベルト本体を、踵部５０の前方両側面（内甲、及び外甲側）の一部分に縫着、又は接着などによって止着する。ベルト７０は、カウンター６０の上部（アキレス腱に沿う部分）を覆うように跨いで締め付ける構造となっており、ベルト７０の長さを調整することにより、履き口の踵側形状を変化させることができる。【選択図】図２
2010154999.tif 000002
【特許請求の範囲】
【請求項１】
靴の踵部に設けられたヒールカウンターと、
前記ヒールカウンターの上部に当接する位置に配置され、少なくとも水平方向の長さを、固定的に調整可能なベルトと
を有し、
前記ベルトの長さを調整することにより、少なくとも靴の履き口の踵側の形状が変化する
靴。
【請求項２】
足の甲側を締め付ける締付け手段
をさらに有し、
前記ベルトは、前記締付け手段とは独立して、長さを調整できる
請求項１に記載の靴。
【請求項３】
装着者のアキレス腱の付け根に相当する位置で、前記ヒールカウンターに固定されたチューブ状部材
をさらに有し、
前記ベルトは、前記チューブ状部材の穴に通された、幅０．５ｃｍ〜２．０ｃｍのベルト状部材である
請求項１に記載の靴。
【請求項４】
前記ベルトは、履き口の一部を構成する
請求項１に記載の靴。
【発明の詳細な説明】
【技術分野】
【０００１】
本発明は、踵側の調整が可能な靴に関する。
【背景技術】
【０００２】
シューフィッティングでは、インソールを調整するなどして足に靴を合わせることが行われている。しかしながら、靴の踵側の調整は困難であった。
なお、スポーツシューズでは、靴紐などによる締付けによって踵や足首の密着感を増大させることが行われている。例えば、特許文献１には、帯状または紐状の緊締素材をシューズの踵部から内甲側または外甲部、そして足甲部にかけて配設して、緊締することで、踵部から土踏まず部分にかけてのフィット性と安定性を確保するシューズが開示されている。
【特許文献１】特開２００１−２１１９０３号公報
【発明の開示】
【発明が解決しようとする課題】
【０００３】
本発明は、上述した背景からなされたものであり、靴踵側の形状を調節できるようにすることを目的とする。
【課題を解決するための手段】
【０００４】
本発明に係る靴は、靴の踵部に設けられたヒールカウンターと、前記ヒールカウンターの上部に当接する位置に配置され、少なくとも水平方向の長さを、固定的に調整可能なベルトとを有し、前記ベルトの長さを調整することにより、少なくとも靴の履き口の踵側の形状が変化する。
【０００５】
好適には、足の甲側を締め付ける締付け手段をさらに有し、前記ベルトは、前記締付け手段とは独立して、長さを調整できる。
好適には、装着者のアキレス腱の付け根に相当する位置で、前記ヒールカウンターに固定されたチューブ状部材をさらに有し、前記ベルトは、前記チューブ状部材の穴に通された、幅０．５ｃｍ〜２．０ｃｍのベルト状部材である。
好適には、前記ベルトは、履き口の一部を構成する。
【発明の効果】
【０００６】
本発明によれば、靴踵部の形状を調節できる。
【発明を実施するための最良の形態】
【０００７】
図１は、本実施形態に係る靴１（右足用）を例示する右側面図、図２は、背面図、図３は、平面図である。
図１、２、及び３に例示するように、靴１は、足甲部１０、靴紐２０、爪先部３０、甲被部４０、踵部５０、カウンター６０（ヒールカウンター）、ベルト７０、及びソール８０を主として構成されている。なお、それら構成部の内、足甲部１０、靴紐２０、爪先部３０、甲被部４０、及びソール８０は、特に限定されるものではなく、既存の靴としての機能を実現するものであればよい。
また、本実施形態における足甲部１０は、靴紐２０によって締め付けられる構造となっているが、足甲部１０を締め付ける構造は、これに限定されるものではなく、例えば、ベルトやゴムなどによって締め付ける構造としてもよい。
【０００８】
踵部５０は、足の踵を包み込む部分であり、踵部本体と、カウンター６０とで構成されている。踵部本体は、カウンター６０及びベルト７０（後述）と比較して相対的に柔軟な素材で構成される。例えば、踵部本体の素材をナイロン系の合成繊維とし、カウンター６０、及びベルト７０の素材を人工皮革などとしてもよい。
【０００９】
カウンター６０は、踵部５０の後部中央に配置されている。カウンター６０は、踵部本体に縫着、接着、又は内包され、踵下部から足のアキレス腱に沿って、踵部５０を上方へ立たせた状態で維持する。
また、カウンター６０の形状は、図２に例示されるように、踵下部及びアキレス腱の形状に合わせ、上部は細く、下部は丸みを帯びた、いわゆるオニオンカーブを形成するものであることが望ましいが、例えば、少なくともアキレス腱と同等の横幅がある略矩形型や略台形型などであってもよい。
【００１０】
ベルト７０は、ベルト本体、ベルト止着部７２、及びベルト調整部７４から構成される。ベルト７０は、カウンター６０の上部に当接する位置に配置され、少なくとも水平方向の長さを固定的に調整可能である。ここで、カウンター６０の上部とは、カウンター６０の上半分の領域を意味する。また、「固定的に調整」とは、一旦調整した後は、別途外力を加えない限り、ベルトの長さがほぼ変化しない状態をいう。本例のベルト本体は、幅０．５ｃｍ〜２．０ｃｍの人工皮革などで構成されたベルト状部材であり、その長軸が略水平となっている。なお、ベルト本体は、少なくとも水平方向の長さが調整できるのであれば、水平配置に限定されるものではなく、例えば、両端が中央部よりも低くなるように斜め方向に配置されてもよい。本例のベルト７０は、カウンター６０の上端近傍（アキレス腱に沿う部分）を外側から覆うように跨いで締め付ける構造となっている。具体的には、履き主（装着者）のアキレス腱の付け根に相当する位置で、カウンター６０に固定されたチューブ状部材（不図示）が設けられている。このチューブ状部材は、略水平方向の穴を有する。ベルト７０は、このチューブ状部材の穴に通されており、水平方向には摺動可能であるが、鉛直方向には固定されている。
ベルト止着部７２は、ベルト本体を、踵部５０の前方両側面（内甲、及び外甲側）の一部分に縫着、又は、接着などによって止着する領域である。
【００１１】
ベルト調整部７４は、足甲部１０を締め付ける靴紐２０（締付け手段）とは独立して、ベルト７０の実効的な長さを調整する部材である。例えば、ベルト調整部７４は、図２に例示するように、外甲側のベルト止着部７２Ａから延びる長い方の一端を、内甲側のベルト止着部７２Ｂから延びる短い方の一端に設けた金具を介して折り曲げて、面ファスナーなどで固定するような構造である。
なお、ベルト調整部７４の位置及び太さは、踵部５０の形状を十分に調節できるように、カウンター６０の上部（アキレス腱に沿う部分）の範囲とすることが望ましい。
【００１２】
図４（Ａ）は、本実施形態に係る靴１においてベルト７０を長めに調整した踵部５０の図であり、図４（Ｂ）は、ベルト７０を短めに調整した踵部５０の図である。
図４（Ａ）に例示するように、ベルト７０を長めに調整した場合には、踵部５０の形状は、略半楕円形をしている。これにより、靴１の履き口は、踵側で広めの形状に保たれる。
そして、図４（Ｂ）に例示するように、図４（Ａ）の状態からさらにベルト７０を締めると、ベルト止着部７２が踵部５０の後方にひっぱられ、踵部５０の形状がカウンター６０を中心として内側に歪んで、細くなる。なお、このとき、カウンター６０は、変形しない程度の強度、又は弾力性を有していることが望ましい。これにより、靴１の履き口は、踵側で狭い形状に変形する。
【００１３】
このようにして、履き主は、ベルト７０の長さを調整することによって、カウンター６０で踵下部からアキレス腱にかけての部位を支えつつ、踵部５０の形状をアキレス腱の横側を締めるように調節することができる。これは、例えば、着物の帯板のようにお腹全面をしっかり押さえつつ、脇腹を締める効果に近い。
【００１４】
また、踵部５０の形状を踵下部からアキレス腱にかけての部位の形状に合わせることは、踵の横ずれや摩擦を防ぐこと、さらには、ウォーキングなどにおける安定性や足と靴との一体感が得られることに繋がる。
【００１５】
［変形例］
次に、上記実施形態の変形例を説明する。
図５は、変形例における靴１００（右足用）の右側面図である。
図５に例示するように、靴１００は、足甲部１１０、爪先部１３０、甲被部１４０、カウンター１６０、ベルト１７０、及びソール１８０を主として構成されている。すなわち、靴１と比較して、靴紐２０、及び踵部本体がない構成となっている。
なお、それら構成部の内、足甲部１１０、爪先部１３０、甲被部１４０、及びソール１８０は、特に限定されるものではなく、既存の靴としての機能を実現するものであればよい。
【００１６】
カウンター１６０は、靴１００において踵下部から足のアキレス腱に沿うように位置し、ソール１８０に縫着、又は接着などによって止着される。カウンター１６０は、ソール１８０から延びる同一部材で構成されてもよい。
なお、カウンター１６０の形状は、前述のカウンター６０と同様とする。
【００１７】
ベルト１７０は、ベルト本体、ベルト止着部１７２及びベルト調整部１７４から構成される。ベルト止着部１７２は、ベルト本体を、足甲部１１０の一部分に縫着、又は、接着などによって止着する。ベルト調整部１７４は、前述のベルト調整部７４と同様の構造とする。
すなわち、本変形例では、カウンター１６０と、ベルト１７０の一部とが、靴の踵側及び両側面の履き口を構成している。
【００１８】
このような構成をとることで、履き主は、ベルト１７０の長さを調整することによって、履き口の踵側形状を、略半楕円形の形状（上方から見た形状）から略逆三角形の形状まで変形させることができる。
そして、例えば、踵の細い履き主は、ベルト１７０によって形成される形状を略逆三角形に近づけるように調節することで、前述の靴１と同様に、カウンター１６０で踵下部からアキレス腱にかけての部位を支えつつ、ベルト調整部１７４によってアキレス腱の横側を締めることができる。一方、踵の太い履き主は、ベルト１７０によって形成される形状を略半楕円形の形状に調節することで、自身の踵の形状に靴の踵を合わせることができる。
【図面の簡単な説明】
【００１９】
【図１】靴１（右足用）を例示する右側面図である。
【図２】靴１（右足用）を例示する背面図である。
【図３】靴１（右足用）を例示する平面図である。
【図４】（Ａ）は、靴１においてベルト７０を長めに調整した踵部５０の形状を例示し、（Ｂ）は、ベルト７０を短めに調整した踵部５０の形状を例示する図である。
【図５】変形例における靴１００（右足用）の右側面図である。
【符号の説明】
【００２０】
１，１００・・・靴
１０，１１０・・・足甲部
２０・・・靴紐
３０，１３０・・・爪先部
４０，１４０・・・甲被部
５０・・・踵部
６０，１６０・・・カウンター
７０，１７０・・・ベルト
７２，１７２・・・ベルト止着部
７４，１７４・・・ベルト調整部
８０，１８０・・・ソール
【図１】
2010154999.tif 000003
【図２】
2010154999.tif 000004
【図３】
2010154999.tif 000005
【図４】
2010154999.tif 000006
【図５】
2010154999.tif 000007